(57)【特許請求の範囲】
【請求項１】
複数の通信端末と、
これら複数の通信端末と無線通信する基地局と、
帯域制御装置と、
前記基地局と前記帯域制御装置との間で送受信されるデータを前記基地局と前記帯域制御装置との各プロトコルに従って前記基地局と前記帯域制御装置とのそれぞれに通信可能な形式に変換するゲートウェイと、
通信管理装置と、
トラフィック最適化装置と、
を備え、
前記通信管理装置は前記基地局と前記帯域制御装置との間の通信から取得した前記基地局のトラフィック量が前記基地局に通信の輻輳の発生する値よりも低い値として予め設定された第１しきい値に到達した場合に前記基地局と前記帯域制御装置との間の通信から取得した前記基地局と通信している前記複数の通信端末の内でトラフィック量が予め設定された第１所定値に到達した通信端末を特定することにより帯域制御情報を前記帯域制御装置に出力しかつ最適化通信情報を前記トラフィック最適化装置に出力すること、
前記帯域制御装置は前記通信管理装置からの帯域制御情報によりインターネットから前記ゲートウェイ及び前記基地局を経由して前記特定された通信端末に送られるデータの通信速度を低下するように帯域制限すること、
前記トラフィック最適化装置は前記通信管理装置からの最適化通信情報により前記インターネットから前記ゲートウェイ及び前記基地局を経由して前記特定された通信端末に送られるデータのトラフィック量を制限された帯域でもデータの内容が把握できるように最適化すること、
を特徴とする通信システム。
【請求項２】
複数の通信端末と、
これら複数の通信端末と無線通信する基地局と、
帯域制御装置と、
前記基地局と前記帯域制御装置との間で送受信されるデータを前記基地局と前記帯域制御装置との各プロトコルに従って前記基地局と前記帯域制御装置とのそれぞれに通信可能な形式に変換するゲートウェイと、
通信管理装置と、
トラフィック最適化装置と、
を備え、
前記通信管理装置は前記基地局と前記帯域制御装置との間の通信から取得した前記基地局のトラフィック量が前記基地局に通信の輻輳の発生する値よりも低い値として予め設定された第２しきい値に到達した場合に前記基地局と前記帯域制御装置との間の通信から取得した前記基地局と通信している前記複数の通信端末の内で通信環境情報値が予め設定された第２所定値に到達した通信端末を特定することにより帯域制御情報を前記帯域制御装置に出力しかつ最適化通信情報を前記トラフィック最適化装置に出力すること、
前記帯域制御装置は前記通信管理装置からの帯域制御情報によりインターネットから前記ゲートウェイ及び前記基地局を経由して前記特定された通信端末に送られるデータの通信速度を低下するように帯域制限すること、
前記トラフィック最適化装置は前記通信管理装置からの最適化通信情報により前記インターネットから前記ゲートウェイ及び前記基地局を経由して前記特定された通信端末に送られるデータのトラフィック量を制限された帯域でもデータの内容が把握できるように最適化すること、
を特徴とする通信システム。
【請求項３】
通信管理装置が所定の時間間隔で基地局のトラフィック量を第１しきい値又は第２しき
い値と比較することを特徴とする請求項１又は２記載の通信システム。
【発明の詳細な説明】
【技術分野】
【０００１】
本発明は、通信の輻輳が発生しそうな基地局でのトラフィック量の多い通信端末又は通信環境状態が悪い通信端末として特定された通信端末だけの通信速度を低下するように当該特定された通信端末を帯域制限するようにした、通信システムに関する。
【背景技術】
【０００２】
図９を用いて、特許文献１で開示された通信システムについて説明する。図９に示した通信システムでは、基地局７００が、所望のデータレートで制御装置８００からデータフレームを受信して携帯電話機５００，６００に送出するとともに、基地局７００と制御装置８００とを結ぶ伝送路９００の輻輳を監視する（ステップ９０１、９０２）。そして、伝送路９００で輻輳が起きていなければ、基地局７００はステップ９０１に戻る。伝送路９００で輻輳が起きていれば、基地局７００は、低減させたデータレートの値を各携帯電話機５００，６００について算出し、算出したデータレートの値を制御装置８００に通知する（ステップ９０３）。制御装置８００は、基地局７００からデータレートの値が通知されると、通知されたデータレートの値にデータ通信中の全ての携帯電話機５００，６００のデータレートを低減させ、それ以降、低減したデータレートで携帯電話機５００，６００宛てのデータフレームを送信する（ステップ９０４）。
【０００３】
しかしながら、図９の通信システムでは、基地局７００で通信の輻輳が発生した場合に、基地局７００で通信をしている複数個の携帯電話機５００，６００のデータレートを画一的に低減するので、携帯電話機５００，６００のうちの基地局７００で通信の輻輳に無関係なトラフィック量の少ない携帯電話機までデータレートが低減してしまう。
【先行技術文献】
【特許文献】
【０００４】
【特許文献１】特開２００８−１３１５３５号公報
【発明の概要】
【発明が解決しようとする課題】
【０００５】
本発明は、上記背景技術に鑑みてなされたものであり、通信の輻輳が発生する前に、通信の輻輳の発生しやすい基地局でのトラフィック量の多い通信端末又は通信環境状態が悪い通信端末だけを帯域制限することにより、通信の輻輳の発生を回避することを目的とする。
【課題を解決するための手段】
【０００６】
本発明は、基地局と帯域制御装置との間の通信から取得した基地局のトラフィック量が基地局に通信の輻輳の発生する値よりも低い値として予め設定された第１しきい値に到達した基地局を通信管理装置が特定し、通信管理装置が上記特定された基地局と通信している複数の通信端末の内でトラフィック量が予め設定された第１所定値に到達した通信端末を特定すると、通信管理装置が帯域制御情報を前記帯域制御装置に出力しかつ最適化通信情報をトラフィック最適化装置に出力し、帯域制御装置が通信管理装置からの帯域制御情報により通信速度を低下するように特定された通信端末に対する帯域制限を行い、前記トラフィック最適化装置が通信管理装置からの最適化通信情報によりインターネットからゲートウェイ及び基地局を経由して特定された通信端末に送られるデータのトラフィック量を制限された帯域でもデータの内容が把握できるように最適化することを特徴とするか、又は、基地局と帯域制御装置との間の通信から取得した基地局のトラフィック量が基地局に通信の輻輳の発生する値よりも低い値として予め設定された第２しきい値に到達した基地局を通信管理装置が特定し、通信管理装置が上記特定された基地局と通信している複数の通信端末の内で通信環境情報値が予め設定された第２所定値に到達した通信端末を特定すると、通信管理装置が帯域制御情報を帯域制御装置に出力しかつ最適化通信情報をトラフィック最適化装置に出力し、前記帯域制御装置が通信管理装置からの帯域制御情報により通信速度を低下するように特定された通信端末に対する帯域制限を行い、前記トラフィック最適化装置が通信管理装置からの最適化通信情報によりインターネットからゲートウェイ及び基地局を経由して特定された通信端末に送られるデータのトラフィック量を制限された帯域でもデータの内容が把握できるように最適化することを特徴とする。
【発明の効果】
【０００７】
本発明によれば、基地局に通信の輻輳が発生する値よりも低い値として第１しきい値が予め設定されているので、基地局で通信の輻輳が発生することを回避できる上、トラフィック量が第１所定値に到達した通信端末のみ通信速度が低下するように、当該通信端末だけ帯域制限するので、トラフィック量が第１所定値未満の通信端末は帯域制限を受けることがない。本発明によれば基地局に通信の輻輳が発生する値よりも低い値として第２しきい値が予め設定されているので、基地局で通信の輻輳が発生することを回避できる上、通信環境情報値が第２所定値に到達した通信端末のみ通信速度が低下するように、当該通信端末だけ帯域制限するので、通信環境情報値が第２所定値に到達していない通信端末は帯域制限を受けることがない。また、トラフィック最適化装置がインターネットからゲートウェイ及び基地局を経由して帯域制御装置からの最適化通信情報により特定された通信端末のトラフィック量を制限された帯域でもデータの内容が把握できるように最適化するので、例えば、動画を視聴している場合において、帯域制限を受けたデータであっても、動画再生が進まないことを防ぎ、通信端末を使用する人が当該データで表現された動画を違和感なく見ることができる。本発明において、通信管理装置が所定の時間間隔で基地局のトラフィック量をしきい値と比較すれば、リアルタイムで常に、基地局に通信の輻輳が発生しないように対処できる。
【図面の簡単な説明】
【０００８】
【図１】発明を実施するための形態１に係る通信システムを示す構成図。
【図２】発明を実施するための形態１に係る通信管理処理を示すフローチャート。
【図３】発明を実施するための形態１に係る帯域制御処理を示すフローチャート。
【図４】発明を実施するための形態１に係るトラフィック最適化処理を示すフローチャート。
【図５】発明を実施するための形態２に係る通信システムを示す構成図。
【図６】発明を実施するための形態２に係る通信管理処理を示すフローチャート。
【図７】発明を実施するための形態２に係る帯域制御処理を示すフローチャート。
【図８】発明を実施するための形態２に係るトラフィック最適化処理を示すフローチャート。
【図９】従来の通信システムを示す構成図。
【発明を実施するための形態】
【０００９】
図１を用いて、発明の実施の形態１に係る通信システムについて説明する。図１に示した通信システムは、通信端末１，２、基地局３、通信管理装置４、記憶装置７、ゲートウェイ１０、帯域制御装置１１、トラフィック最適化装置１２を備え、基地局３の第１しきい値５への到達及び通信端末１，２の第１所定値６への到達の双方の到達を条件により、通信管理装置４が帯域制御情報を帯域制御装置１１に出力しかつ最適化通信情報をトラフィック最適化装置１２に出力することにより、帯域制御装置１１がインターネット１３からゲートウェイ１０及び基地局３を経由して特定した通信端末１又は２に送られるデータの通信速度を制限し、トラフィック最適化装置１２がインターネット１３からゲートウェイ１０及び基地局３を経由して特定した通信端末１又は２に送られるデータのトラフィック量を制限された帯域でもデータの内容が把握できるような最適化されたトラフィック量に削減するようになっている。
【００１０】
基地局３は、通信端末１，２と無線通信のやり取りをして、音声データ、テキストデータ、画像データを送受信する。ゲートウェイ１０は、基地局３と帯域制御装置１１との間で送受信される音声データ、テキストデータ、画像データ等のデータを基地局３と帯域制御装置１１との各プロトコルに従って基地局３と帯域制御装置１１とのそれぞれに通信可能な形式に変換する。通信管理装置４は、帯域制御装置１１に帯域制御情報を送信し、トラフィック最適化装置１２に最適化通信情報を送信する。
【００１１】
帯域制御装置１１は、通信速度を制御するものであり、通信管理装置４からの帯域制御情報を基に基地局３とトラフィック最適化装置１２との間の帯域を絞ることで通信速度を所定の値に制御する。
【００１２】
トラフィック最適化装置１２は、通信管理装置４からの最適化通信情報により通信端末１，２とインターネット１３との間のトラフィック量を制御する。
【００１３】
また、通信管理装置４には、第１しきい値５と第１所定値６とが通信管理装置４を管理する管理者により予め設定されている。第１しきい値５は、基地局３ごとの輻輳閾値として、基地局３の使用する帯域に応じて設定される値であり、基地局３に通信の輻輳が発生する値よりも低くかつ近い値として予め設定される値である。第１所定値６は、基地局３に対して輻輳判定後の、大容量の通信端末１，２を特定するための条件として、個々の通信端末１，２に許容されるトラフィック量に応じて設定される値である。
【００１４】
通信管理装置４は、基地局３のトラフィック量と第１しきい値５とを比較して基地局３のトラフィック量が第１しきい値５に到達したかどうかを判定する。基地局３のトラフィック量が第１しきい値５以上の場合、通信管理装置４は、基地局３と通信している通信端末１，２のトラフィック量を第１所定値６と比較して第１所定値６に到達したトラフィック量を使用している通信端末１，２を特定する。即ち、基地局３の第１しきい値５への到達及び通信端末１，２の第１所定値６への到達の双方の到達を条件により、通信管理装置４は、帯域制御情報を帯域制御装置１１に出力し、最適化通信情報をトラフィック最適化装置１２に出力する。
【００１５】
よって、帯域制御装置１１がインターネット１３からゲートウェイ１０及び基地局３を経由して特定した通信端末１又は２に送られるデータの通信速度を制限し、トラフィック最適化装置１２がインターネット１３からゲートウェイ１０及び基地局３を経由して特定した通信端末１又は２に送られるデータのトラフィック量を制限された帯域でもデータの内容が把握できるような最適化されたトラフィック量に削減する。
【００１６】
記憶装置７には、基地局情報８と端末情報９とが管理者により予め設定される。基地局情報８は、全基地局の個々の基地局に割り振られた情報であって、基地局を特定する識別情報である。端末情報９は、通信事業者と正規に契約している通信可能な全端末に割り振られた情報であって、通信端末を特定する識別情報である。記憶装置７は、通信管理装置４からの要求に応じて、基地局情報８と端末情報９とを通信管理装置４に出力する。
【００１７】
上述した構成の通信システムの動作について説明する。通信端末１，２と基地局３との間で無線通信が確立されているものとする。通信端末１，２から発信される情報は、基地局３、ゲートウェイ１０、帯域制御装置１１、トラフィック最適化装置１２を経由してインターネット１３に送信される。通信端末１，２が受信する情報は、インターネット１３から上述とは逆の流れで通信端末１，２に送信される。これによりデータの通信が可能となる。
【００１８】
そして、通信管理装置４は、基地局３とゲートウェイ１０との間の通信から基地局３のトラフィック量の情報を取得し、取得した基地局３のトラフィック量を予め設定されている第１しきい値５と比較する。基地局３のトラフィック量が第１しきい値５に到達した場合は、通信管理装置４は基地局３とゲートウェイ１０との間の通信から基地局３と通信中の通信端末１，２のトラフィック量の情報を取得し、取得したトラフィック量を第１所定値６と比較し、トラフィック量が第１所定値６に到達した通信端末１，２を特定する。
【００１９】
これにより、例えば、通信端末１が動画などの大容量のデータをインターネット１３からダウンロードするなどして通信帯域を多く使用しても、通信端末１を特定して通信端末１の使用する通信帯域を制限し、基地局３に通信の輻輳が発生することを回避し、例えばメールやニュースサイトなどのデータ量の少ない通信端末２の使用する通信帯域を確保することができる。
【００２０】
また、通信端末１のトラフィック量をトラフィック最適化装置１２により最適化しているので、通信端末１の通信帯域が制限されてもダウンロードした動画が静止画となることがなく動画として視聴可能になる。例えば、動画が２４コマのフレーム数で構成されている場合において、トラフィック最適化装置１２によって１５コマに間引かれることにより動画が制限された通信帯域でも動くように最適化される。
【００２１】
図２を用いて、発明を実施するための形態に係る通信管理装置４における通信管理処理について説明する。通信管理装置４には第１しきい値５及び第１所定値６が予め設定されている状態において、記憶装置７より基地局３の識別情報を受信し、図２の通信管理処理が始まると、ステップ２０１で基地局３のトラフィック量を第１しきい値５と比較する。
【００２２】
基地局３のトラフィック量が第１しきい値５よりも小さい場合はステップ２０１が「ＮＯ」となり、ステップ２０１に戻る。一方、基地局３のトラフィック量が第１しきい値５に到達した場合はステップ２０１が「ＹＥＳ」となり、ステップ２０２へ進む。
【００２３】
ステップ２０２では、通信管理装置４が基地局３から通信端末１，２のトラフィック量の情報を受信するとともに記憶装置７より通信端末１，２の個々の識別情報を受信し、第１所定値６に到達したトラフィック量を使用している通信端末１，２を識別情報に基づき特定し、ステップ２０３へ進む。ステップ２０３では、ステップ２０２で特定した通信端末１又は２に対する帯域制御情報を帯域制御装置１１に出力して処理の１サイクルを終了する。
【００２４】
要するに、通信管理装置４は、基地局３のトラフィック量が通信の輻輳を発生するのに近い時に、基地局３と通信をしている通信端末１及び２のうちでトラフィック量の多い通信端末を特定し、その特定した通信端末１又は２に対する通信速度を制限するようにという帯域制御情報を帯域制御装置１１に出力する。
【００２５】
図３を用いて、帯域制御装置１１における帯域制御処理を説明する。ステップ３０１では、帯域制御装置１１が通信管理装置４から帯域制御情報を受信すると、ステップ３０１が「ＹＥＳ」となり、ステップ３０２に進む。ステップ３０２では、第１所定値６に到達したトラフィック量を使用している通信端末１又は２に対する帯域を絞り、処理の１サイクルを終了する。
【００２６】
図４を用いて、トラフィック最適化装置１２におけるトラフィック最適化処理を説明する。ステップ４０１では、トラフィック最適化装置１２が通信管理装置４から最適化通信情報を受信すると、ステップ４０１が「ＹＥＳ」となり、ステップ４０２に進む。ステップ４０２では、第１所定値６に到達したトラフィック量を使用している通信端末１又は２に対するトラフィックを最適化し、処理の１サイクルを終了する。
【００２７】
以上説明したように本実施の形態１によれば、トラフィック量が第１しきい値５に到達した基地局３を通信管理装置４が特定し、その特定された基地局３と通信している通信端末１又は２の内でトラフィック量が第１所定値６に到達した通信端末１又は２を特定し、その特定された通信端末１又は２の通信速度を低下するように帯域制御装置１１で帯域制限するので、基地局３において通信の輻輳が発生することを回避することができる。例えば、通信端末１のトラフィック量が第１所定値６に到達し、通信端末２のトラフィック量が第１所定値６に到達していない場合、通信端末１だけを帯域制限し、通信端末２に対しては帯域制限しない。また、通信端末１及び２のトラフィック量が第１所定値６に到達した場合は、通信端末１及び２を帯域制限する。
【００２８】
例えば、基地局３が通信を許容する通信端末１，２の個数を１００個とし、当該基地局３が通信の輻輳となるトラフィック量を「１５００」とし、当該基地局３に対する第１しきい値５を「１０００」とし、１００個の通信端末１，２の個々に対する第１所定値６が「１０」とし、基地局３のトラフィック量が第１しきい値５としての「１０００」に到達し、１０個の通信端末１，２のトラフィック量が第１所定値６としての「１０」に到達した場合、当該１０個の通信端末１，２のトラフィック量が第１所定値６に到達しないように、当該１０個の通信端末１，２を帯域制限する。
【００２９】
例えば、以上説明した発明の実施の形態１では、基地局３のトラフィック量が第１しきい値５に到達した場合に、通信管理装置４が基地局３とゲートウェイ１０との間の通信から通信端末１，２のトラフィック量の情報を受信し、第１所定値６に到達したトラフィック量を使用している通信端末１，２を識別情報に基づき特定したが、次のように、通信管理装置４が基地局３のトラフィック量並びに基地局３と通信をしている通信端末１，２のトラフィック量を基地局３とゲートウェイ１０との間の通信から受信し、かつ、記憶装置７から基地局情報８並びに端末情報９を受信して図示のされていない通信管理装置４のメモリに一時的に保存した後、基地局３のトラフィック量を第１しきい値５と比較し、基地局３のトラフィック量が第１しきい値５に到達した場合に、通信端末１，２のトラフィック量を第１所定値６と比較し、第１所定値６に到達したトラフィック量の通信端末１，２を特定し、その特定した通信端末１又は２に対する通信速度を制限するようにという帯域制御情報を帯域制御装置１１に出力するようにしても適応可能である。
【００３０】
このように、通信管理装置４が基地局３のトラフィック量及び通信端末１，２のトラフィック量の双方を基地局３とゲートウェイ１０との間の通信から受信すれば、通信管理装置４の基地局３とゲートウェイ１０との間の通信からの受信回数が低減できる。又、通信管理装置４が基地局３のトラフィック量及び通信端末１，２のトラフィック量の双方を基地局３とゲートウェイ１０との間の通信から受信した後に、受信した基地局３のトラフィック量が第１しきい値５に到達した場合に、第１所定値６に到達したトラフィック量を使用している通信端末１又は２に対する通信速度を制限すると、例えば、１個の通信管理装置４が１０秒程度の時間間隔でも、複数個の例えば１万乃至２０万個等の基地局の通信の輻輳を容易に管理することが可能になる。又、通信管理装置４が基地局３のトラフィック量並びに基地局３と通信している通信端末１，２の個数との双方を用いて基地局３の通信の輻輳を判断してもよい。
【００３１】
尚、第１しきい値５は、管理する基地局３の通信可能な物理的な容量に基づき、基地局３ごとに異なる値として設定されてもよい。
【００３２】
なお、図２で説明した通信管理処理は、通信端末１，２と基地局３との間における通信の輻輳を回避する必要から所定間隔毎に処理を繰り返し実行するが、統計的に輻輳が起こりやすい時間帯（夕方から夜中）と輻輳が起こりにくい時間帯（夜中から日中）によって、所定間隔を変更してもよい。
【００３３】
図５を用いて、発明の実施の形態２に係る通信システムについて説明する。図５に示した通信システムは、通信端末１，２、基地局３、通信管理装置４、記憶装置７、ゲートウェイ１０、帯域制御装置１１、トラフィック最適化装置１２を備え、基地局３の第２しきい値２５への到達及び通信端末１，２の第２所定値２６への到達の双方の到達を条件により、通信管理装置４が帯域制御情報を帯域制御装置１１に出力しかつ最適化通信情報をトラフィック最適化装置１２に出力することにより、帯域制御装置１１がインターネット１３からゲートウェイ１０及び基地局３を経由して特定した通信端末１又は２に送られるデータの通信速度を制限し、トラフィック最適化装置１２がインターネット１３からゲートウェイ１０及び基地局３を経由して特定した通信端末１又は２に送られるデータのトラフィック量を制限された帯域でもデータの内容が把握できるような最適化されたトラフィック量に削減するようになっている。
【００３４】
第２しきい値２５は、基地局３ごとの輻輳閾値として、基地局３の使用する帯域に応じて設定される値であり、基地局３に通信の輻輳が発生する値よりも低くかつ近い値として予め設定される値であり、第１しきい値５と同じ値又は異なる値でも適用可能である。又、発明の実施の形態１，２が通信管理装置４で並行して稼働する時、第１しきい値５と第２しきい値２５とをそれぞれ異なる値に設定することが考えられる。
【００３５】
第２所定値２６は、基地局３に対して輻輳判定後の、通信環境の悪い通信端末１，２を特定するための条件として、個々の通信端末１，２の通信環境状態を判定するために設定される値である。例えば、基地局３に対する通信端末１，２の受信品質を示すＣＱＩ（Channel Quality Indicator）が１５段階の点数として表される。ＣＱＩは、個々の通信端末１，２と基地局３との間の受信品質であるので、各々の通信端末１，２とインターネット１３との間の受信品質(通信環境状態)を一義的に表すものではないが、ＣＱＩと相関関係が認められる通信環境情報値を用いてインターネット１３に対する各々の通信端末１，２の受信品質を判定し、受信品質が第２所定値２６に到達した、つまり通信環境情報値が第２所定値２６に到達した通信端末１，２を特定する。通信環境情報値が第２所定値２６に到達した場合は、通信端末１，２が基地局のカバーする通信エリア内の周辺部若しくは遮蔽物の後に存在するか又は他の電波の干渉を受けており、基地局３からの電波を受信しにくい通信環境状態にあると通信管理装置４が特定する。
【００３６】
上記通信環境情報値としては、スループット、無線区間のレイテンシ又は無線区間のラウンドトリップタイム、ＴＣＰ再送頻度のいずれか一つ又は複数個の情報を用いることができる。例えば、通信端末１，２のスループットが第２所定値２６に到達した（スループットが悪い）場合又は通信端末１，２の無線区間のレイテンシが第２所定値２６に到達した（応答が遅い）場合又はＴＣＰ再送頻度が第２所定値２６に到達した（頻度が高い）場合は、通信端末１，２の通信環境状態が悪く、基地局３が通信端末１，２の通信に多くのリソースを割いている状態である。
【００３７】
よって、図５に示した通信システムでは、基地局３の第２しきい値２５への到達及び通信端末１，２の第２所定値２６への到達の双方の到達を条件により、通信管理装置４が帯域制御情報を帯域制御装置１１に出力しかつ最適化通信情報をトラフィック最適化装置１２に出力することにより、帯域制御装置１１がインターネット１３からゲートウェイ１０及び基地局３を経由して特定した通信端末１又は２に送られるデータの通信速度を制限し、トラフィック最適化装置１２がインターネット１３からゲートウェイ１０及び基地局３を経由して特定した通信端末１又は２に送られるデータのトラフィック量を制限された帯域でもデータの内容が把握できるような最適化されたトラフィック量に削減する。
【００３８】
図６を用いて、発明を実施するための形態２に係る通信管理装置４における通信管理処理について説明する。通信管理装置４には第２しきい値２５及び第２所定値２６が予め設定されている状態において、記憶装置７より基地局３の識別情報を受信し、図６の通信管理処理が始まると、ステップ６０１で基地局３のトラフィック量を第２しきい値２５と比較する。
【００３９】
基地局３のトラフィック量が第２しきい値２５よりも小さい場合はステップ６０１が「ＮＯ」となり、ステップ６０１に戻る。一方、基地局３のトラフィック量が第２しきい値２５よりも大きい場合はステップ６０１が「ＹＥＳ」となり、ステップ６０２へ進む。
【００４０】
ステップ６０２では、通信管理装置４が基地局３とゲートウェイ１０との間の通信から通信端末１，２の通信環境情報値を計測するとともに記憶装置７より通信端末１，２の個々の識別情報を受信し、通信環境情報値が第２所定値２６に到達した通信端末１，２を識別情報に基づき特定し、ステップ６０３，６０４へ進む。ステップ６０３では、ステップ６０２で特定した通信端末１又は２に対する帯域制御情報を帯域制御装置１１に出力する。ステップ６０４では、ステップ６０２で特定した通信端末１又は２に対する最適化通信情報をトラフィック最適化装置１２に出力して処理の１サイクルを終了する。
【００４１】
要するに、通信管理装置４は、基地局３のトラフィック量が通信の輻輳を発生するのに近い時に、基地局３と通信をしている通信端末１及び２のうちで通信環境状態の悪い通信端末１又は２を特定し、その特定した通信端末１又は２の通信速度を制限するようにという帯域制御情報を帯域制御装置１１に出力し、その特定した通信端末１，２のトラフィック量を制限された帯域に対して最適化するようにという最適化通信情報をトラフィック最適化装置１２に出力する。
【００４２】
図７を用いて、帯域制御装置１１における帯域制御処理を説明する。ステップ７０１では、帯域制御装置１１が通信管理装置４から帯域制御情報を受信すると、ステップ７０１が「ＹＥＳ」となり、ステップ７０２に進む。ステップ７０２では、第２所定値２６に到達した通信端末１又は２に対する帯域を絞り、処理の１サイクルを終了する。
【００４３】
図８を用いて、トラフィック最適化装置１２におけるトラフィック最適化処理を説明する。ステップ８０１では、トラフィック最適化装置１２が通信管理装置４から最適化通信情報を受信すると、ステップ８０１が「ＹＥＳ」となり、ステップ８０２に進む。ステップ８０２では、第２所定値２６に到達した通信端末１又は２に対するトラフィック量を最適化し、処理の１サイクルを終了する。
【００４４】
以上説明したように本実施の形態２によれば、トラフィック量が第２しきい値２５に到達した基地局３を通信管理装置４が特定し、その特定された基地局３と通信している通信端末１又は２の内で通信環境状態が第２所定値２６に到達した通信端末１又は２を特定し、その特定された通信端末１又は２の通信速度を低下するように帯域制御装置１１で帯域制限するので、基地局３において通信の輻輳が発生することを回避することができる。例えば、通信端末１の通信環境状態が第２所定値２６に到達し、通信端末２の通信環境状態が第２所定値２６に到達していない場合、通信端末１だけを帯域制限し、通信端末２に対しては帯域制限しない。また、通信端末１及び２の通信環境状態が第２所定値２６に到達した場合は、通信端末１及び２を帯域制限する。
【００４５】
例えば、以上説明した発明の実施の形態２では、基地局３のトラフィック量が第２しきい値２５に到達した場合に、通信管理装置４が基地局３とゲートウェイ１０との間の通信から通信端末１，２の通信環境情報値を計測し、通信環境情報値が第２所定値２６に到達した通信端末１，２を特定したが、次のように、通信管理装置４が基地局３のトラフィック量並びに基地局３と通信をしている通信端末１，２の通信環境情報値を基地局３とゲートウェイ１０との間の通信から計測し、かつ、記憶装置７から基地局情報８並びに端末情報９を受信して図示のされていない通信管理装置４のメモリに一時的に保存した後、基地局３のトラフィック量を第２しきい値２５と比較し、基地局３のトラフィック量が第２しきい値２５に到達した場合に、通信端末１，２の通信環境情報値を第２所定値２６と比較し、第２所定値２６に到達した通信環境情報値の通信端末１，２を特定し、その特定した通信端末１又は２に対する通信速度を制限するようにという帯域制御情報を帯域制御装置１１に出力するようにしても適応可能である。
【００４６】
このように、通信管理装置４が基地局３のトラフィック量及び通信端末１，２の通信環境情報値の双方を基地局３とゲートウェイ１０との間の通信から受信すれば、通信管理装置４の基地局３とゲートウェイ１０との間の通信からの受信回数が低減できる。又、通信管理装置４が基地局３のトラフィック量及び通信端末１，２の通信環境情報値の双方を基地局３とゲートウェイ１０との間の通信から受信した後に、受信した基地局３のトラフィック量が第２しきい値２５に到達した場合に、第２所定値２６に到達した通信環境情報値を使用している通信端末１又は２に対する通信速度を制限すると、例えば、１個の通信管理装置４が１０秒程度の時間間隔でも、複数個の例えば１万乃至２０万個等の基地局の通信の輻輳を容易に管理することが可能になる。又、通信管理装置４が基地局３のトラフィック量並びに基地局３と通信している通信端末１，２の個数との双方を用いて基地局３の通信の輻輳を判断してもよい。
【００４７】
なお、図６で説明した通信管理処理は、通信端末１，２と基地局３との間における通信の輻輳を回避する必要から所定間隔毎に処理を繰り返し実行するが、統計的に輻輳が起こりやすい時間帯（夕方から夜中）と輻輳が起こりにくい時間帯（夜中から日中）によって、所定間隔を変更してもよい。
【００４８】
特許請求の範囲、明細書、および図面中において示した装置、システム、プログラム、および方法における動作、手順、ステップ、および段階などの各処理の実行順序は、特段「より前に」、「先立って」などと明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」などを用いて説明したとしても、この順で実施することが必須であることを意味するものではない。
【００４９】
以上、本発明を実施するための形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【符号の説明】
【００５０】
１    通信端末
２    通信端末
３    基地局
４    通信管理装置
５    第１しきい値
６    第１所定値
７    記憶装置
８    基地局情報
９    端末情報
１０  ゲートウェイ
１１  帯域制御装置
１２  トラフィック最適化装置
１３  インターネット
２５  第２しきい値
２６  第２所定値
【要約】
【課題】通信の輻輳の発生しやすい基地局でのトラフィック量の多い通信端末を帯域制限する。
【解決手段】基地局３の第１しきい値５への到達及び通信端末１，２の第１所定値６への到達の双方の到達を条件により、通信管理装置４が基地局３に対して輻輳判定後の大容量の通信端末１，２を特定するか、又は、基地局３の第２しきい値への到達及び通信端末１，２の第２所定値６への到達のアンド条件により、通信管理装置４が基地局３に対して輻輳判定後の通信環境の悪い通信端末１，２を特定して、通信管理装置４が帯域制御情報を帯域制御装置１１に出力しかつ最適化通信情報をトラフィック最適化装置１２に出力することにより、帯域制御装置１１がインターネット１３からゲートウェイ１０及び基地局３を経由して特定した通信端末１又は２に送られるデータの通信速度を制限し、基地局３で通信の輻輳が発生することを回避する。
【選択図】図１【図１】
0006001724.tif 000002
【図２】
0006001724.tif 000003
【図３】
0006001724.tif 000004
【図４】
0006001724.tif 000005
【図５】
0006001724.tif 000006
【図６】
0006001724.tif 000007
【図７】
0006001724.tif 000008
【図８】
0006001724.tif 000009
【図９】
0006001724.tif 000010